【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
複合して又は独立にシートバック及びレッグレストを動力で動作させるための家具部材機構であって、
シートバック部材に接続され、電気的に操作されてシートバック部材を直立位置と完全リクライニング位置との間で変位させる第１アクチュエータ装置と、
レッグレスト部材に接続され、電気的に操作されてレッグレスト部材を格納位置と完全伸展位置との間で変位させる第２アクチュエータ装置と、
前記第２アクチュエータ装置により軸を中心として回転し、前記レッグレスト部材を伸展又は後退させる駆動ロッドと、
前記駆動ロッドの軸を中心とした回転により回転しないように前記駆動ロッドに自由に回転可能に連結された揺動連結チューブと、
前記揺動連結チューブに連結された第１及び第２揺動リンクであって、前記揺動連結チューブの回転による前記第１及び第２揺動リンクの変位により前記シートバック部材が回転するように、前記シートバック部材に連結された第１及び第２揺動リンクとを備え、
前記家具部材機構は、前記第１及び第２アクチュエータ装置の一方に通電し、前記第１及び第２アクチュエータ装置の他方を非通電とするか、あるいは前記第１及び第２アクチュエータ装置の双方が同時に通電するようにするか、選択的に動作することを特徴とする家具部材機構。
【請求項２】
請求項１に記載の複合して又は独立にシートバック及びレッグレストを動力で動作させるための家具部材機構であって、前記駆動ロッドは、前記第２アクチュエータ装置に接続され、前記レッグレスト部材を伸展または後退させ、前記第１アクチュエータ装置の操作によっては前記駆動ロッドは軸を中心として回転しないことを特徴とする家具部材機構。
【請求項３】
複合して又は独立にシートバック及びレッグレストを動力で動作させるための家具部材機構であって、
シートバック部材に接続され、電気的に操作されてシートバック部材を直立位置と完全リクライニング位置との間で変位させる第１アクチュエータ装置と、
レッグレスト部材に接続され、電気的に操作されてレッグレスト部材を格納位置と完全伸展位置との間で変位させる第２アクチュエータ装置とを備え、
前記家具部材機構は、前記第１及び第２アクチュエータ装置の一方に通電し、前記第１及び第２アクチュエータ装置の他方を非通電とするか、あるいは前記第１及び第２アクチュエータ装置の双方が同時に通電するようにするか、選択的に動作し、
前記第２アクチュエータ装置に接続され、前記第２アクチュエータ装置の動作により軸を中心として回転して前記レッグレスト部材を伸展または後退させ、前記第１アクチュエータ装置の操作によっては軸を中心として回転しない駆動ロッドと、
前記駆動ロッドに連結され、前記第２アクチュエータ装置の操作中に、前記駆動ロッドの回転によって、ともに回転する第１及び第２レッグレスト駆動リンクと、
前記レッグレスト部材に自由に連結され、かつ前記駆動ロッドに回転可能に連結された第１及び第２揺動リンクとを備え、前記第１及び第２揺動リンクは前記第１及び第２レッグレスト駆動リンクにより、第１駆動ロッド回転方向のみ回転されることを特徴とする家具部材機構。
【請求項４】
請求項３に記載の複合して又は独立にシートバック及びレッグレストを動力で動作させるための家具部材機構であって、さらに
前記駆動ロッドが前記第１駆動ロッド回転方向に回転された時、前記第１及び第２揺動リンクの一方に直接当接して前記第１及び第２揺動リンクを前記第１及び第２レッグレスト駆動リンクとともに回転する前記第１及び第２レッグレスト駆動リンクから延出する当接フランジを有し、
前記レッグレスト部材の前記完全伸展位置から前記格納位置までの復帰中に前記レッグレスト部材が物体に接触することで、前記第１及び第２揺動リンクと前記第１及び第２レッグレスト駆動リンクの前記当接フランジとの間に隙間が形成されて、前記レッグレスト部材を後退させることなく前記第１及び第２レッグレスト駆動リンクを継続的に動力により後退可能とすることを特徴とする家具部材機構。
【請求項５】
請求項１に記載の複合して又は独立にシートバック及びレッグレストを動力で動作させるための家具部材機構であって、さらに
前記第２アクチュエータ装置に連結され、前記第２アクチュエータ装置の動作により軸方向に変位可能なアクチュエータ延伸軸と、
延伸ロッドを有する前記アクチュエータ延伸軸に連結される駆動トグルコネクタと、
家具フレームアセンブリに連結される支持ロッドと、
前記支持ロッドに回転可能に連結され、前記延伸ロッド上を自由に変位可能な揺動レバーとを有することを特徴とする家具部材機構。
【請求項６】
請求項５に記載の複合して又は独立にシートバック及びレッグレストを動力で動作させるための家具部材機構であって、さらに
家具部材のベース部材に回転可能に連結され、前記揺動レバーに回転可能に連結された傾斜揺動レバーを備え、
前記駆動トグルコネクタと前記揺動レバーとが直接当接することで、前記傾斜揺動レバーと前記揺動レバーとが略同一直線上に揃い前記支持ロッドを変位させるまで前記揺動レバーと前記傾斜揺動レバーとが反対方向に回転し、これにより前記家具フレームアセンブリを傾斜位置に回転させることを特徴とする家具部材機構。
【請求項７】
請求項６に記載の複合して又は独立にシートバック及びレッグレストを動力で動作させるための家具部材機構であって、
前記レッグレスト部材の伸展及び前記家具フレームアセンブリの前記傾斜位置までの回転は、前記第２アクチュエータ装置の動作中に同時に起こることを特徴とする家具部材機構。
【請求項８】
請求項１に記載の複合して又は独立にシートバック及びレッグレストを動力で動作させるための家具部材機構であって、さらに
前記第１アクチュエータ装置に連結される第１及び第２シートバック駆動リンクと、
前記第１及び第２シートバック駆動リンクの一方に独立に連結された第１及び第２取付板とを備え、前記第１取付板は前記シートバック部材を回転させるよう動作する側方駆動部材に連結されることを特徴とする家具部材機構。
【請求項９】
請求項１に記載の複合して又は独立にシートバック及びレッグレストを動力で動作させるための家具部材機構であって、さらに
それぞれ前記第１又は第２シートバック駆動リンクに回転可能に連結された第１及び第２チューブアームを有する略Ｕ字形状に形成された前記揺動連結チューブとを有することを特徴とする家具部材機構。
【請求項１０】
請求項１に記載の複合して又は独立にシートバック及びレッグレストを動力で動作させるための家具部材機構であって、さらに
前記第１アクチュエータ装置を前記揺動連結チューブに回転可能に連結する第１アクチュエータ連結ブラケットとを有することを特徴とする家具部材機構。
【請求項１１】
請求項１に記載の複合して又は独立にシートバック及びレッグレストを動力で動作させるための家具部材機構であって、さらに
第１レッグレスト駆動リンクを第１揺動リンクに連結する第１付勢部材と、
第２レッグレスト駆動リンクを第２揺動リンクに連結する第２付勢部材とを備え、
前記第１及び第２揺動リンクは、前記レッグレスト部材に連結され、前記レッグレスト部材が前記完全伸展位置から前記格納位置に復帰する間に前記レッグレスト部材が物体に接触することで前記第１及び第２揺動リンクと前記第１及び第２レッグレスト駆動リンクの当接フランジとの間に隙間が形成され、かつ前記第１及び第２付勢部材が伸展し、前記物体の除去後に前記第１及び第２付勢部材の付勢力がその後前記第１及び第２揺動リンクを前記第１及び第２レッグレスト駆動リンクの当接フランジと当接するように復帰させるように作用することを特徴とする家具部材機構。
【請求項１２】
請求項１に記載の複合して又は独立にシートバック及びレッグレストを動力で動作させるための家具部材機構であって、前記第１及び第２アクチュエータ装置はそれぞれ２４ボルトの直流モータと、モータ回転を直線駆動方向に伝達するよう動作するアクチュエータ駆動部材とを備えることを特徴とする家具部材機構。
【請求項１３】
複合して又は独立にシートバック及びレッグレストを動力で動作させるための家具部材機構であって、
シートバック部材に連結されシートバック部材を直立位置と完全リクライニング位置との間で回転させるよう動作する第１及び第２シートバック駆動リンクを変位させるよう電気的に操作される第１アクチュエータ装置と、
電気的に操作されてレッグレスト部材を格納位置と完全伸展位置との間で変位させる少なくとも一つの駆動リンクを回転させるよう電気的に操作される第２アクチュエータ装置と、
前記第２アクチュエータ装置の操作により伸展又は格納され、駆動トグルコネクタに回転可能に連結されるアクチュエータ延伸軸と、
駆動ロッドと、
前記駆動ロッドに連結され、前記駆動トグルコネクタに回転可能に連結され、前記駆動トグルコネクタによって回転された時、前記駆動ロッドを軸方向に回転させる駆動トグルとを備え、
前記家具部材機構は、前記第１及び第２アクチュエータ装置の一方に通電し、前記第１及び第２アクチュエータ装置の他方を非通電とするか、あるいは前記第１及び第２アクチュエータ装置の双方が同時に通電するようにするか、選択的に動作することを特徴とする家具部材機構。
【請求項１４】
請求項１３に記載の複合して又は独立にシートバック及びレッグレストを動力で動作させるための家具部材機構であって、さらに
それぞれ前記第１及び第２シートバック駆動リンクの一方に回転可能に連結された対向する第１及び第２チューブアームを有するＵ字状揺動連結チューブと、
前記揺動連結チューブが回転するよう前記揺動連結チューブに回転可能に連結される第１アクチュエータ延伸軸とを備えることを特徴とする家具部材機構。
【請求項１５】
請求項１４に記載の複合して又は独立にシートバック及びレッグレストを動力で動作させるための家具部材機構であって、さらに、前記揺動連結チューブの前記第１及び第２チューブアームの双方を自由に回転可能に支持するロッドを備え、前記ロッドは前記第２アクチュエータ装置を操作して前記揺動連結チューブを回転させることなく前記レッグレスト部材を伸展させることで軸を中心として回転することを特徴とする家具部材機構。
【請求項１６】
複合して又は独立にシートバック及びレッグレストを動力で動作させるための家具部材機構であって、
電気的に操作されて、シートバック部材に接続され前記シートバック部材を直立位置と完全リクライニング位置との間で回転させる第1及び第2シートバック駆動リンクを変位させる第１アクチュエータ装置と、
電気的に操作されて、レッグレスト部材に接続され前記レッグレスト部材を格納位置と完全伸展位置との間で変位させる少なくとも一つの駆動リンクを回転させる第２アクチュエータ装置と、
前記レッグレスト部材に連結されたパンタグラフリンクセットと、
駆動ロッドに連結され、前記駆動ロッドの軸を中心とした回転中に共に回転し、当接フランジを有するレッグレスト駆動リンクと、
前記駆動ロッドによって自由に回転可能に支持され、前記パンタグラフリンクセットに連結される揺動リンクとを備え、前記揺動リンクは、前記当接フランジに直接当接して前記揺動リンクを前記レッグレスト駆動リンクとともに第１駆動ロッド回転方向にのみ回転させ、前記パンタグラフリンクセットを伸展させ、
前記家具部材機構は、前記第１及び第２アクチュエータ装置の一方に通電し、前記第１及び第２アクチュエータ装置の他方を非通電とするか、あるいは前記第１及び第２アクチュエータ装置の双方が同時に通電するようにするか、選択的に動作することを特徴とする家具部材機構。
【請求項１７】
複合して又は独立にシートバック及びレッグレストを動力で動作させるための家具部材機構であって、
シートバック部材に連結されシートバック部材を直立位置と完全リクライニング位置との間で回転させるよう動作する第１及び第２シートバック駆動リンクを変位させるよう電気的に操作される第１アクチュエータ装置と、
レッグレスト部材に連結され、支持ロッドと回転して当接することにより少なくとも部分的に伸展位置で支持されるパンタグラフリンクセットと、
前記第１アクチュエータ装置と同一であり、かつ前記パンタグラフリンクセットに連結され前記パンタグラフリンクセットを格納及び前記伸展位置の間で変位させる少なくとも一つの駆動リンクに連結される駆動ロッドを、軸を中心として回転させるよう電気的に操作される第２アクチュエータ装置と、
回転可能に前記支持ロッドに連結され、前記第２アクチュエータ装置の動作中に回転し、前記パンタグラフリンクセットを伸展させ、完全回転位置において前記支持ロッドを変位させて家具部材傾斜位置を形成する揺動レバーと、
凸形状を形成する第１湾曲端面を有する前記揺動レバーの球状端と、
前記第２アクチュエータ装置に連結され、凹形状を形成する形状の第２湾曲端面を備える駆動トグルコネクタとを有し、前記凹形状は前記凸形状に対応して、前記駆動トグルコネクタを長手方向に変位させることで前記揺動レバーが回転して前記第１及び第２湾曲端面が互いに当接することを特徴とする家具部材機構。
【請求項１８】
請求項１７に記載の複合して又は独立にシートバック及びレッグレストを動力で動作させるための家具部材機構であって、さらに
前記駆動ロッドに連結され、前記駆動ロッドとともに回転し前記駆動トグルコネクタに回転可能に連結される駆動トグルとを備え、前記駆動トグルコネクタの回転により前記駆動トグルが回転するよう作用し、これにより前記駆動ロッドを軸を中心として回転させることを特徴とする家具部材機構。
【請求項１９】
請求項１８に記載の複合して又は独立にシートバック及びレッグレストを動力で動作させるための家具部材機構であって、さらに、前記第２アクチュエータ装置の操作により伸展又は後退するアクチュエータ延伸軸を備え、前記アクチュエータ延伸軸は前記駆動トグルコネクタに回転可能に連結されることを特徴とする家具部材機構。
【請求項２０】
請求項１７に記載の複合して又は独立にシートバック及びレッグレストを動力で動作させるための家具部材機構であって、前記家具部材機構は第１又は第２モードのいずれかで選択的に動作し、前記第１モードでは、前記第１及び第２アクチュエータ装置の一方が通電され、前記第１及び第２アクチュエータ装置の他方が通電されず、前記第２モードでは、前記第１及び第２アクチュエータ装置の双方が同時に通電されることを特徴とする家具部材機構。
【請求項２１】
請求項１７に記載の複合して又は独立にシートバック及びレッグレストを動力で動作させるための家具部材機構であって、さらに、前記揺動レバーと家具部材のベース部材に回転可能に連結された傾斜揺動レバーを備え、前記傾斜揺動レバーの軸は、前記完全回転位置において前記揺動レバーの軸と略同軸配置されることを特徴とする家具部材機構。
【請求項２２】
請求項１７に記載の複合して又は独立にシートバック及びレッグレストを動力で動作させるための家具部材機構であって、さらに
前記駆動トグルコネクタから自由に延設された延伸ロッドと、
前記揺動レバーの前記球状端近傍に形成されたロッド空隙開口とを備え、前記延伸ロッドは前記ロッド空隙開口を介して摺動可能に延出し、前記第１及び第２湾曲端面が当接する前に前記揺動レバーの前記第１湾曲端面と前記駆動トグルコネクタの前記第２湾曲端面との位置を揃えた状態に維持することを特徴とする家具部材機構。
【請求項２３】
家具部材であって、
ベース部材に回転可能に連結された家具フレームアセンブリと、
前記家具フレームアセンブリと前記ベース部材との各々に連結され、前記ベース部材に対する前記家具フレームアセンブリの揺動動作を許容するロッカーばねアセンブリと、
家具部材機構とを備え、
前記家具部材機構は、
シートバック部材に連結されシートバック部材を直立位置と完全リクライニング位置との間で回転させるよう動作する第１及び第２シートバック駆動リンクを変位させるよう電気的に操作される第１アクチュエータ装置と、
レッグレスト部材に連結され、前記家具フレームアセンブリの対向する第１及び第２側面部材に連結される支持ロッドと回転して当接することにより少なくとも部分的に伸展位置で支持されるパンタグラフリンクセットと、
前記第１アクチュエータ装置と同一であり、かつ前記パンタグラフリンクセットに連結され前記パンタグラフリンクセットを格納及び前記伸展位置の間で変位させる少なくとも一つの駆動リンクに連結される駆動ロッドを軸を中心として回転させるよう電気的に操作される第２アクチュエータ装置と、
前記第２アクチュエータ装置に連結される駆動トグルコネクタと、
前記駆動ロッドに共に回転可能に連結され、前記駆動トグルコネクタに回転可能に連結され、前記駆動トグルコネクタによって回転された時、前記駆動ロッドを軸方向に回転させる駆動トグルとを備えることを特徴とする家具部材。
【請求項２４】
請求項２３に記載の家具部材において、さらに、回転可能に前記支持ロッドに連結され、前記第２アクチュエータ装置の動作中に回転されて、前記パンタグラフリンクセットを伸展させる揺動レバーを備え、前記揺動レバーは完全回転位置において前記支持ロッドを変位させて前記家具フレームアセンブリの前方角部を前記家具フレームアセンブリの後方角部に対して持ち上げ家具部材傾斜位置を形成することを特徴とする家具部材。
【請求項２５】
請求項２４に記載の家具部材において、さらに
凸形状を形成する第１湾曲端面を有する前記揺動レバーの球状端を有し、
前記駆動トグルコネクタは、凹形状を形成する形状の第２湾曲端面を備え、前記凹形状は前記凸形状に対応して、前記駆動トグルコネクタを長手方向に変位させることで前記揺動レバーが回転して前記第１及び第２湾曲端面が互いに当接することを特徴とする家具部材。
【請求項２６】
請求項２５に記載の家具部材において、さらに
前記駆動トグルコネクタから自由に延設された延伸ロッドと、
前記揺動レバーの前記球状端近傍に形成されたロッド空隙開口とを備え、前記延伸ロッドは前記ロッド空隙開口を介して摺動可能に延出し、前記第１及び第２湾曲端面が当接する前に前記揺動レバーの前記第１湾曲端面と前記駆動トグルコネクタの前記第２湾曲端面との位置を揃えた状態に維持し、
前記第１及び第２湾曲端面とを当接させることで、その後前記家具フレームアセンブリが揺動動作しなくなることを特徴とする家具部材。
【請求項２７】
請求項２４に記載の家具部材であって、前記揺動レバーと前記ベース部材とのそれぞれに回転可能に連結された傾斜揺動レバーを備え、前記傾斜揺動レバーの軸は、前記完全回転位置において前記揺動レバーの軸と略同軸配置されることを特徴とする家具部材。
【請求項２８】
請求項２３に記載の家具部材であって、さらに、前記第２アクチュエータ装置の操作により伸展又は後退するアクチュエータ延伸軸を備え、前記アクチュエータ延伸軸は前記駆動トグルコネクタに回転可能に連結されることを特徴とする家具部材。
【請求項２９】
請求項２３に記載の家具部材であって、前記家具部材機構は第１又は第２モードのいずれかで選択的に動作し、前記第１モードでは、前記第１及び第２アクチュエータ装置の一方が通電され、前記第１及び第２アクチュエータ装置の他方が通電されず、前記第２モードでは、前記第１及び第２アクチュエータ装置の双方が同時に通電されることを特徴とする家具部材。
【手続補正２】
【補正対象書類名】明細書
【補正対象項目名】００２６
【補正方法】変更
【補正の内容】
【００２６】
引き続き図５及び図１を参照すると、側方駆動部材３８は、第２取付板１１８から延びるプレートフランジ１２４に固定される。したがって、揺動連結チューブ１００を回転して第２取付板１１８を前又は後方向に変位させることにより、側方駆動部材３８が長手方向に変位し、これによりシートバックリンクセット４０を介してシートバック部材１６が回転することになる。定位置に固定された支持ロッド６４は、各長尺状スロット１２０，１２２から延出する。したがって、各長尺状スロット１２０，１２２の長さは、第１、第２取付板１１６，１１８の前又は後方向の前変位を許容するように予め定められる。
【手続補正３】
【補正対象書類名】明細書
【補正対象項目名】００３０
【補正方法】変更
【補正の内容】
【００３０】
図６を参照すると、シートバック回転又はレッグレスト及び傾斜動作を制御するための機構２６の別々の操作部が、家具フレームアセンブリ１２を取り外したことによって、より明確に視認可能である。第１アクチュエータ装置２８は、各第１及び第２シートバック駆動リンク３５，３６を前方に変位させる揺動連結チューブ１００を回転するよう動作する。第１及び第２シートバック駆動リンク３５，３６を順に前方に変位させることで、第１及び第２取付板１１６，１１８が前方かつ上方に変位する。第１アクチュエータ装置２８の操作を逆転させると、揺動連結チューブ１００の回転が逆になり、第１及び第２シートバック駆動リンク３５，３６と第１及び第２取付板１１６，１１８が後退する。上述のように、第１又は第２取付板１１６，１１８の前方又は後方への変位は、支持ロッド６４と独立に行われ、支持ロッド６４は第１又は第２取付板１１６，１１８の変位中に、支持ロッド長手軸１４２に対して定位置に保たれる。
【手続補正４】
【補正対象書類名】明細書
【補正対象項目名】００５１
【補正方法】変更
【補正の内容】
【００５１】
本願開示にかかる機構２６は、いくつかの利点をもたらす。独立に動作する第１及び第２アクチュエータ装置２８，３０を用いて第１及びシートバック部材１６の回転動作をレッグレスト部材２４の伸展動作と分離したことにより、シートバック部材１６は、レッグレスト部材２４と独立に動作可能となる。さらに家具部材１０の傾斜を第２アクチュエータ装置３０により制御する機能を備えることにより、レッグレスト部材２４が伸展された時に自動的に傾斜する。第１及び第２アクチュエータ装置２８，３０を備え、さらに家具部材１０を揺動可能としたことで、揺動、シートバック回転及び独立なレッグレスト伸展動作の全てが単一の機構により提供される。